(57)【特許請求の範囲】
【請求項１】
肘掛けの幅調整機構は支柱(1) と支持軸(8) と肘掛けフレーム(17,18) を取付けてある基板(14)とから構成され、
上記支持軸は、弾性力を有する素材を上部が開いたＵ字状に屈成したもので、
上記支持軸は、上記支柱内に、その上部の両端部が内方に移動可能に取り付けてあり、
上記基板にはその長手方向と直交する方向に２つの係止溝(14a) が所定間隔をおいて形成してあり、
上記係止溝の縁部には係止部(14b) が形成してあり、
上記係止溝内に回転可能に挿置してある係止部材(19)の外形は上記係止部に係合可能な形状であり、
上記支持軸は上記係止部材に対して上記係止部に弾接する弾性力を付勢してあり、
上記係止部材は上記支持軸の弾性力に抗して上記係止溝内を移動可能である
ことを特徴とする肘掛け付き椅子。
【請求項２】
請求項１において、支持軸の先端部は保持具(13)に挿着してあり、この保持具には上記係止部材が回転自在に嵌合していることを特徴とする肘掛け付き椅子。
【発明の詳細な説明】
【０００１】
【発明の属する技術分野】
本発明は肘掛け付き椅子、特に肘掛けの幅（間隔）を調整することのできる機構を具備した椅子に関する。
【０００２】
【従来の技術】
肘掛け付き椅子の幅は、その椅子に座る人の肥満度に応じた最適の幅の肘掛けの間隔位置があり、例えば、肥満タイプの人には肘掛けの間隔はその人に体形に最適の広い幅の間隔にあることが望ましい。そのため椅子の肘掛けの幅間隔調整装置として、従来からスイッチを介してモータを回転させ、この回転は連動手段を介して支持部材の端部に固着してある肘掛けをそれぞれ左右対称的に連動させ、例えば両肘掛けを反対方向に移動させたい時には、スイッチを介してモータを逆回転させるもので、このようにスイッチ操作するだけで左右両肘掛けがそれぞれ等幅ずつ移動させて幅間隔を調整するものである（例えば特開平８−３９３号公報）。
【０００３】
【発明が解決しようとする課題】
しかし、この従来例では調整するのにモータの駆動力を必要とするもので、常時調整するものではないのにも拘らず、当然高価となり製造コストに問題がある。そこで本発明の目的は、手動により肘掛けの位置の幅方向の位置調整が可能な肘掛け付き椅子を提供することにある。
【０００４】
【課題を解決するための手段】
上記の問題点を解決するために、本発明にかかる肘掛け椅子の肘掛けの幅方向の位置調整機構は支柱(1) と支持軸(8) と肘掛けフレーム(17,18) を取付けてある基板(14)とから構成されている。そして、上記支持軸は弾性力を有する素材を、上部が開いたＵ字状に屈成したもので、この支持軸は、上記支柱内に、その上部の両端部が内方に移動可能に取り付けてある。上記基板にはその長手方向と直交する方向に２つの係止溝(14a) が所定間隔をおいて形成してあり、上記係止溝の縁部には係止部(14b) が形成してあり、上記係止溝内に回転可能に挿置してある係止部材(19)の外形は上記係止部に係合可能な形状である。上記支持軸は上記係止部材に対して上記係止部に弾接する弾性力を付勢していり、上記係止部材は上記支持軸の弾性力に抗して上記係止溝内を移動可能であるところにある。
【０００５】
本発明の他の特徴は、上記支持軸の先端部は保持具(13)に挿着してあり、この保持具には上記係止部材が回転自在に嵌合しているところにある。
【０００６】
【発明の実施の形態】
実施例について図面を参照して説明すると、図１において、クッションＣ１の底面はクッションカバーＣ２にて支持してあり、このクッションカバーは、図１、図３に示すように支柱１の上面にねじ３…で取付けてある固定用プレート２に、連結ねじ４により連結されている。支柱１はプラスチックにて一体成形されたほぼＬ字状のもので、クッションＣ１の両側に立設してある。
【０００７】
そこで、先ず肘掛けの上下方向調整機構の構成について説明する。図１、図２に示すように、支柱１の垂直部の内部には上端開口の穴部１ａが上下方向に形成してある。穴部１ａ内にはガイド５が挿入して、このガイドは固定用プレート２との間で支柱１の一側をサイドイッチにした状態でねじ３で固定してある。ガイド５内には２枚のスライダ６，７が上下動自在に挿入してあり、この２枚のスライダは、図２，図３に示すように支持軸８を挟んだ状態でねじ９（図１）にて締付けてある。このように、支柱１に固定用プレート２をねじ３で連結し、ガイド５内に２枚のスライダ６，７が支持軸８を挟んだ状態でねじ９にて連結された状態で挿着してある構造を有している。支柱１と固定用プレート２との垂直部の両外側はカバー１０，１１にて被覆してあり、この両カバーはスライダ６，７に連結ねじ１２（図２）で連結してあり、そのためこのカバーはこのスライダと共に上下方向に移動可能である。
【０００８】
次に、２枚のスライダ６，７で挟持された状態で挿着してある支持軸８の構造について説明すると、図２において、この支持軸は大径のワイヤをＵ字状に屈成し上部が開いて弾性力を有し、この支持軸の上部の内面とスライダ６，７との間には、図４にも示すように空隙６ａ，７ａがある。そのため、支持軸８は、図２において内方（図４では上方）に向けてその弾性力に抗して移動させることができる。このように支持軸８が弾性力に抗して移動可能である構成は後で説明する肘掛けの幅調整機構に関する構成であるので、後で詳細に説明している。支持軸８の両端部は、図２，図１１（Ａ），（Ｂ）に示すように保持具１３，１３の下部に挿着してあり、この保持具の上部は、肘掛けの内部に配設してあるガイド基板１４の貫通穴を貫通し、この支持具の上部からは取付けねじ１５がワッシャ１６を介して挿入して、この保持具の先端面に螺入している。ガイド基板１４の上下両面には、図１に示すようにその上方には上部肘掛けフレーム１７が、また下方には下部肘掛けフレーム１８がこのガイド基板をサンドイッチ状に挟持した状態で、この両肘掛けフレームはねじで連結してあり、この両フレームはこのガイド基板１４に案内されて前後方向に移動可能となっている。上部肘掛けフレーム１７の上面にはアームパットが固着してある。なお、保持具１４の上部には係止部材１９が回転自在に嵌合しているが、この構成については後で肘掛けの幅調整機構の説明において詳細に説明する。
【０００９】
さらに、図２に示すように、ねじ３で固定してあるガイド５には、その長手方向に溝部５ａが形成してあり、この溝部の一側面には鋸歯状の係止用爪５ｂが形成してあり、この係止用爪には係止ピン２０が係止可能となっている。係止用爪５ｂのそれぞれの形状は、その下半分が曲線状であり、上半分は係止溝状になっている。係止ピン２０は図１に示すようにスライダ６，７を貫通し、この両端はハンドル２１，２１により軸受してある。ハンドル２１の構造は図２、図５に示すように軸部２１ｂを中心として回転自在に軸支され、このハンドルから一体的に延伸している弾性アーム２１ａの先端は、スライダ６，７に突設してある係止ピン６ｂに係止している。そのため、常時このハンドル２１は、図２において軸部２１ｂを中心として時計方向に回転力が付勢されている。このハンドル２１の詳細な構造は、図６に示すように２部品１セットからなり、図５に示すように軸部２１ｂはスライダ７の軸穴７ｂとカバー１１の軸受１１ａとにより回転自在に軸支してあり、図６に示すようにこの軸部の下方には係止ピン２０の両端が移動可能に嵌合している長孔２１ｃ，２１ｃが形成してあり、軸部２１ｂ，２１ｂからは上方に向けて弾性アーム２１ａ，２１ａが延出し、さらにこの軸部２１ｂと長孔２１ｃとの間を連結している支持部２１ｄ，２１ｄの外面にはボタン部２１ｅ，２１ｅが突設してあり、このボタン部の外面にはボタンカバー２２が嵌合している。そして、ボタン部２１ｅとボタンカバー２２は、図２に示すようにカバー１１から外方に突出した状態で挿着してある。
【００１０】
そこで、肘掛けの高さ調整操作について説明すると、肘掛けの位置を高くする場合は、図７（Ａ）の状態において一方の肘掛けを上方に引き上げると、係止ピン２０は弾性アーム２１ａからの弾性力に抗しながら各係止用爪５ｂの形状に沿って左右に振れながら上昇し、同時にスライダ６，７はガイド５に案内されて支持軸８などと共に上方に移動し、使用者にとって適正な位置まで上昇させた段階で上昇を止めると、その位置にある係止用爪５ｂに係止ピン２０は弾性アーム２１ａの弾性力により自動的に係止し、その位置を保持する。他方の肘掛けの位置の高さ方向への調整も同様にして行う。
【００１１】
肘掛けの位置を低く調整する場合は、先ずボタンカバー２２を指先で押すと、ハンドル２１は弾性アーム２１ａの弾性力に抗して軸部２１ｂを中心として反時計方向に回転し、図７（Ｂ）に示すように、このハンドルの長孔２１ｃ内の係止ピン２０はガイド５の係止用爪５ｂとの係合から離れる。ボタンカバー２２を押圧した状態を保持したまま、肘掛けを下方に押し下げるとスライダ６，７はガイド５に案内されて支持軸８などと共に下方に移動し、使用者にとって適正な位置まで下降させた段階でボタンカバー２２から手を放せば、ハンドル２１は弾性アーム２１ａの弾性力により元位置に復帰し、そのため係止ピン２０は再び係止用爪５ｂに係止しその位置を保持する。このようにして、肘掛けの上下方向への高さ調整を行うことができる。
【００１２】
次に、肘掛けの幅調整機構の構成について説明する。図２、図８において、ガイド基板１４にはその長手方向と直交する方向に２つの係止溝１４ａが所定間隔をおいて形成してあり、それぞれの係止溝の外側の縁部にはサインカーブ状の係止部１４ｂが形成してある。そして、係止溝１４ａ内には係止部材１９が回転可能な状態で挿置してある。係止部材１９の平面形状は、図８に示すように係止部１４ｂの形状に適応する連続したカーブをもつ５つの花弁状のものである。そして、係止部材１９は支持軸８により常に外方（図８の上下方向）への弾性力を受け、この係止部１４ｂに弾接している。さらに、係止部材１９は保持具１３に回転自在に取付けてある。
【００１３】
そこで、肘掛けの幅調整操作について説明すると、この幅を広くする場合には先ず一方、例えば後方（図８の上方）に位置している係止部材１９を外方に移動させるようにして肘掛けを広げる。それは後方に位置している係止部材１９を前方の係止部材１９を支点として外側に向け押し広げる方向に力を加えるのである。即ち、図９（Ａ）に示すように、係止部材１９が係止溝１４ａの中央部に位置している状態から、外方に移動させるように肘掛けに力を加えると、支持軸８とスライド６，７との間に空隙６ａ，７ａがあるため、この係止部材は図９（Ｂ）の寸法ｖだけやや内方に移動可能である。そのため、肘掛けを広げると、支持軸８の弾性力に抗して係止部材１９は保持具１３の周囲を回転して図９（Ｂ）に示す途中の状態になり、この不安定な状態を経てこの係止部材は、図９（Ｃ）に示すように係止溝１４ａの外端部まで回転移動し安定した状態となる。そこで、前方の係止部材１９を上記と同様にして後方の係止部材１９の支点として外方に向けて広げることができる。そして、所定の間隔に肘掛けの幅を拡大させると、支持軸８の弾性力により係止部材１９は係止部１４ｂと弾接しその位置が保持される。勿論、肘掛けの幅を狭くする場合には係止部材１９の一方を移動させ、次に他方を移動させればよい。
【００１４】
なお、肘掛けは平行に拡大または狭くするばかりでなく、一方または両方の係止部材１９，１９を移動させることにより肘掛けの状態を傾斜状に調整することもでき、さらに、この傾斜角度を所望のものに多段的に調整することも可能である。
【００１５】
最後に肘掛けの前後の位置調整機構の構造について説明する。図２、図８において、ガイド基板１３の先端部（図８の下方）には長手方向に沿って３段の係止穴１４ｃ，１４ｄ，１４ｅが開設してあり、また、下部肘掛けフレーム１８の内面両側には軸２３の両端が軸支してあり、この軸にはロック部材２４が回転自在に支持され、このロック部材には係止突起２４ａと弾性アーム２４ｂとが一体的に形成してあり、この係止突起は係止穴１４ｃ〜１４ｅのいずれか１つに係合可能であり、この弾性アームの下端は下部肘掛けフレーム１８の底面に弾接している。そのため、ロック部材２４は、この弾性アーム２４ｂにより軸２３を中心として反時計方向への回転力が付勢されている。このロック部材２４の全体形状は図１０に図示している。
【００１６】
そこで、肘掛けの前後の位置調整操作について説明すると、図２の状態、これを拡大した図１１（Ａ）の状態おいては、ロック部材２４の係止突起２４ａは係止穴１４ｃに係止して肘掛けは最も後方に位置している。そこで、肘掛けを前方に移動させるには、ロック部材２４を手で上方に押し上げると、図１１（Ｂ）に示すようにこのロック部材は弾性アーム２４ｂの弾性力に抗して軸２３を中心として時計方向に回転し、そのため係止突起２４ａは係止穴１４ｃから離脱してロックを解放し、この解放状態を保持した状態で一体化している上下の両肘掛けフレーム１７，１８をガイド基板１４をガイドとして前方に摺動させ所望の位置に設置する。そこで、ロック部材２４から手を放すと、このロック部材の係止突起２４ａは、この肘掛けフレーム１７，１８の前方への摺動距離に応じて係止穴１４ｄまたは１４ｅに係合し、その位置をロックする。
【００１７】
【発明の効果】
本発明は、手動により肘掛けの位置の幅方向の間隔調整ができ、従来のようにモータなどの駆動手段は不要であるので製造コストがダウンし、電源などの接続が不要であるので、椅子の設置位置の制限もない。
【図面の簡単な説明】
【図１】  支柱や肘掛けの垂直断面図である。
【図２】  図１のａ−ａ線断面図である。
【図３】  図２のｂ−ｂ線断面図である。
【図４】  スライダ内に取付けてある支持軸と空隙とを示す拡大断面図である。
【図５】  ハンドルをスライダに取付けてある構造を示す拡大断面図である。
【図６】  ハンドルを展開した斜視図である。
【図７】  （Ａ），（Ｂ）は肘掛けの上下方向の調整状態を示す断面図である。
【図８】  上部の肘掛けフレームを除きガイド基板の平面形状を示す平面図である。
【図９】  （Ａ），（Ｂ），（Ｃ）は肘掛けの幅調整状態を示す平面図である。
【図１０】  ロック部材の斜視図である。
【図１１】  （Ａ），（Ｂ）は肘掛けの前後方向の調整状態を示す断面図である。
【符号の説明】
１          支柱
６ａ        空隙
７ａ        空隙
８          支持軸
１３        保持具
１４        基板
１４ａ      係止溝
１４ｂ      係止部
１７        上部肘掛けフレーム
１８        下部肘掛けフレーム
１９        係止部材
Ｃ１        クッション
【図１】
0003942047.tif 000002
【図２】
0003942047.tif 000003
【図３】
0003942047.tif 000004
【図４】
0003942047.tif 000005
【図５】
0003942047.tif 000006
【図６】
0003942047.tif 000007
【図７】
0003942047.tif 000008
【図８】
0003942047.tif 000009
【図９】
0003942047.tif 000010
【図１０】
0003942047.tif 000011
【図１１】
0003942047.tif 000012